(57)【要約】【課題】ウキの種類を換える場合にウキ止めカンを容易に取り替えることができるへら鮒釣り用仕掛けを提供する。【解決手段】道糸２に通す輪７を基端に設け、他端にウキ３の下端を挿通する内径の止め輪８を設け、止め輪と輪との間にウキの下端を嵌挿して固定するウキ止めゴム管５を挿脱可能に配置してなる松葉４と、松葉を道糸に対して位置設定する松葉位置設定具６とを備え、松葉の輪はテグスを多重螺旋構造となるように撚って巻回して円環状に形成し、瞬間接着剤を用いて固定するとともに、止め輪の外径はウキ止めゴム管の内径以上とする。【選択図】図２
0003191445.tif 000002
【実用新案登録請求の範囲】
【請求項１】
道糸に通す輪を基端に設け、他端にウキの下端を挿通する内径の止め輪を設け、該止め輪と前記輪との間にウキの下端を嵌挿して固定するウキ止めゴム管を挿脱可能に配置してなる松葉仕掛けと、該松葉仕掛けを道糸に対して位置設定する松葉位置設定具とを備え、
前記松葉仕掛けの輪はテグスを多重螺旋構造となるように撚って巻回して円環状に形成するとともに、前記止め輪の外径はウキ止めゴム管の内径以上とすることを特徴とするへら鮒釣り用仕掛け。
【請求項２】
前記テグスを多重螺旋構造となるように撚って巻回して円環状に形成した松葉仕掛けの輪は瞬間接着剤により補強と接触抵抗の低下が図られてなることを特徴とする請求項１に記載のへら鮒釣り用仕掛け。
【請求項３】
松葉位置設定具は、松葉仕掛けの輪を止める段部を一方に備え前記輪を挿通する剛性を有する棒状の杆体と、道糸を挿通し該道糸に沿わせた前記杆体とを嵌挿する管体とからなることを特徴とする請求項１又は２に記載のへら鮒釣り用仕掛け。
【考案の詳細な説明】
【技術分野】
【０００１】
本考案は、へら鮒釣りに用いる仕掛けであり、特に松葉と称されているウキを止めるための仕掛けに工夫を凝らすことにより使いやすくしたへら鮒釣り用仕掛けに関するものである。
【背景技術】
【０００２】
へら鮒釣りは、自然条件、人為的条件がものをいう釣り本来の醍醐味がある釣りであり、これに用いる仕掛けには、繊細なアタリを高感度で伝えることができることが特に求められている。
【０００３】
そして、こまめに棚あわせを行うことが行われるへら鮒釣りにあっては、ウキの位置を頻繁に変える必要があった。そのため、図９に示すような、上下に移動自在なウキ止め２６を用いたものが知られており、このウキ止め２６の構造は、道糸２１に止めた一対のゴム製のストッパー２２の間に、ゴム製の中空のウキ止めカン２３の一端の環体２４を回転自在に遊嵌し、そしてウキ止めカン２３の他端にウキ２５の下端を着脱自在に装着するものである。（特許文献１参照）。
【先行技術文献】
【特許文献】
【０００４】
【特許文献１】実公平０６−８７００号公報
【考案の概要】
【考案が解決しようとする課題】
【０００５】
しかしながら、へら鮒釣りは棚あわせ以外にウキの種類を換えることも多く行われ、ウキの大きさによってはウキ止めカンも取り替えることになるものの、上述したウキ止めカン２３は、ウキ止めカンの一端に一体的に設けられた環体２４を道糸２１に通して用いることから、ウキ止めカン２３を簡単に取り替えることができないという問題があった。
【０００６】
そこで、上記ウキ止めカンに代わって松葉と称されるウキ止めの仕掛けが案出され、それは図１０に示すように、１．２号程度のナイロン糸を編み込んで作成したものである。その松葉３１の構造としては、その一端に道糸２１を挿通する内径が１ミリメートル以下の小径な輪３２を、ナイロン糸を結んで形成するとともに、他端側の中途に結び目３３を作り、そこから先をヒゲ３４と称する解放端としている。そして、可撓性を有する中空のゴム管３５にヒゲ３４を通して、ゴム管３５を輪３２と結び目３３との間に位置させ、ウキ２５の下端をゴム管３５の穴に差し込むことで、ゴム管３５とウキ２５を松葉３１にしっかり固定するものである。
これにより、ウキの種類を換える際には、松葉３１はそのままにしてウキの径に適合する内径のゴム管に取り替えことにより、容易に対応することができるものである。
図中３６は、道糸２１の2個所に松葉３１を挟むようにして、ナイロン糸などを編み込んで作成した１対の結びコブであり、棚あわせのために移動可能となっている。
【０００７】
しかしながら、この使い勝手のよい松葉３１にあっても改良すべき点が多々あった。そのひとつは、ウキ２５を道糸２１に対して回転自在にするために糸を結んで形成した輪３２が、チチワ結びなどにより形成されることから、その形状は円環状ではなく輪の結び目がすぼんだ水滴型になっていた。そして、この非円環状の輪３２が道糸２１に対して不均一に接触しながら回転するので、道糸２１に対して松葉３１とウキ２５がスムーズに回転することができずに、道糸２１が絡んだり、輪３２と道糸２１に大きな付加がかかったりすることにより、輪３２や道糸２１が切れることがあった。
また、上述した従来の松葉３１は、ゴム管３５の抜け止めの役目をコブ状にした結び目３３がしているが、コブが小さいことから挿入したゴム管３５が抜け落ちるおそれもあった。
さらに、結びコブ３６は、棚あわせのために移動を繰り返していると、結びコブ３６が道糸２１を強く擦ることから道糸に傷をつけるおそれがあった。
【０００８】
また一方、結びコブ３６の代わりに道糸を密接に挿通する穴部を備えた一対のゴム管を用いたり、図１１に示すように、道糸２１を一部に挿通し、ウキ止めカン４１の基端を回転自在に保持するくさび状のウキ止め４２に対し、ウキ止めカン４１とほぼ同等の形状のゴム管４３を嵌挿することにより、ウキ止め４２を道糸２１に固定する仕掛けが案出された。
この仕掛けは、棚あわせのためのウキ止めカン４１の移動が容易であり、かつ道糸を傷つけるおそれのない使いやすいものである。しかしながら、この仕掛けにとって致命的な問題があり、それはへら鮒釣り用の仕掛けとしてはウキ止め４２とゴム管４３が大きく、かつ重いことから、繊細なアタリを高感度で伝えることができなかった。
【０００９】
そこで、本考案はこのような実情に鑑みて、ウキの種類を換える場合にウキ止めのゴム管を容易に取り替えることができる仕掛けであって、道糸に通す輪が均一な円環状で道糸が絡みづらく、さらに松葉に挿入したウキ止めゴム管が抜け落ちる恐れのなく、また道糸を傷つけるおそれがなく、小型にすることで繊細なアタリを高感度で伝えることができる新規で使いやすいへら鮒釣り用仕掛けを提供しようとするものである。
【課題を解決するための手段】
【００１０】
上記解決課題に鑑みて鋭意研究の結果、本考案者は、松葉を改良して道糸に通す輪が均一な円環状とするとともに、ウキ止めを含む仕掛け全体を小型軽量とすることに想到し、本考案をなすに至った。
【００１１】
すなわち、本考案のへら鮒釣り用仕掛けは、道糸に通す輪を基端に設け、他端にウキの下端を挿通する内径の止め輪を設け、該止め輪と前記輪との間にウキの下端を嵌挿して固定するウキ止めゴム管を挿脱可能に配置してなる松葉仕掛けと、該松葉仕掛けを道糸に対して位置設定する松葉位置設定具とを備え、前記松葉仕掛けの輪はテグスを多重螺旋構造となるように撚って巻回して円環状に形成するとともに、前記止め輪の外径はウキ止めゴム管の内径以上とすることを特徴とする。
これにより本考案のへら鮒釣り用仕掛けは、道糸に通す輪が均一な円環状で道糸が絡みづらく、さらに松葉に挿入したウキ止めゴム管が抜け落ちる恐れのなく、また道糸を傷つけるおそれがなくなる。
【００１２】
また、テグスを多重螺旋構造となるように撚って巻回して円環状に形成した松葉仕掛けの輪は瞬間接着剤により補強と接触抵抗の低下が図られてなることを特徴とする。
これにより、松葉仕掛けの輪が円環状に確実に固定されることから、松葉仕掛けが道糸に対してスムーズに回転することができるものである。
【００１３】
また、松葉位置設定具が、松葉仕掛けの輪を挿通する剛性を有する棒状の杆体と、道糸に沿わせた前記杆体とを嵌挿する管体とからなることを特徴とする。
これにより、棚あわせのために松葉位置設定具を道糸に対して移動しやすく、かつ移動を繰り返しても道糸を傷つけるおそれがないとともに、小型化することが可能となる。
【図面の簡単な説明】
【００１４】
【図１】本考案のへら鮒釣り用仕掛けを備えた釣り具の全体を示す説明図である。
【図２】本考案のへら鮒釣り用仕掛けにおけるウキを装着する前の状態を示す説明図である。
【図３】本考案のへら鮒釣り用仕掛けにおけるウキを装着した状態を示す説明図である。
【図４】本考案のへら鮒釣り用仕掛けにおける松葉の輪を示す説明図である。
【図５】本考案のへら鮒釣り用仕掛けの第２の実施例を示す説明図である。
【図６】本考案のへら鮒釣り用仕掛けの第２の実施例を示す説明図である。
【図７】本考案のへら鮒釣り用仕掛けの第２の実施例を示す説明図である。
【図８】本考案のへら鮒釣り用仕掛けの第３の実施例を示す説明図である。
【図９】従来のへら鮒釣り用仕掛けを示す説明図である。
【図１０】従来の他のへら鮒釣り用仕掛けを示す説明図である。
【図１１】従来のさらに他のへら鮒釣り用仕掛けを示す説明図である。
【考案を実施するための形態】
【００１５】
以下、添付図面を参照しながら、本考案のへら鮒釣り用仕掛けを実施するための形態を詳細に説明する。図１〜図８は、本考案の実施の形態を例示する図であり、これらの図において、同一の符号を付した部分は同一物を表わし、基本的な構成及び動作は同様であるものとする。
【００１６】
本考案のへら鮒釣り用仕掛けは、図1〜図４に示すように、釣り竿１に取り付けられた道糸２と、ウキ３と、ウキ３を道糸２に止めるためのテグスを加工して作る松葉４と、松葉４に通して用いられ、ウキ３の下端を差し込んで固定するウキ止めゴム管５と、棚あわせでウキ３を上下に移動させるため、松葉位置設定具として道糸２の2個所に松葉４を挟んで糸で編み込んで作成した結びコブ６とを備えている。
【００１７】
図２に示すように、上記松葉４の基端には、ナイロン糸等を編み込んで内径０．６ミリメートル程度と極めて小さい輪７を形成するとともに、他端にはウキ３の下端が通る内径で、かつウキ止めゴム管５の内径よりも大きな径からなる止め輪８を形成し、その結び目から先端を解放端として一定程度の長さのヒゲ９を延伸している。
上記松葉４の輪７のさらに詳細な構造は、図4に示すごとく、従来のようにチチワ結びによる結び目ではなく、糸を撚り合わせて二重螺旋構造の円環とすることで真円に近似する円環を作り、円環から糸を繰り出す部分を含めて瞬間接着剤などの接着剤を用いて形状を固定する構造とすることができる。なお、輪７の螺旋構造としては、二重螺旋に限ることなく三重以上の多重螺旋構造であってもよいものである。
【００１８】
この多重螺旋構造の輪７の作成方法としては、所望する輪の内径に相当する外径を有する細い金属製ピン等の円柱体を用意し、この周りに糸を少し大きめに１周巻回し、この輪の回りに２周目以降の糸を撚って巻回するもので、最後に輪の糸を締めてこれに瞬間接着剤を塗布して輪７を固め、そして固まった輪７を円柱体から抜き取れば完成するものである。このように、瞬間接着剤を用いることにより、輪７の撚り部の強度を高めると共に糸同士の接触抵抗を低下させることができる。
【００１９】
また、図５〜図７は、本考案のへら鮒釣り用仕掛けの第２の実施例であり、この仕掛けは道糸２に対して松葉４の位置を固定するための、上記結びコブ６の代わりとなる松葉位置設定具１１である。
この松葉位置設定具１１は、図５に示すごとく、道糸２を通す環部１２を備えた短い段部１３（本実施例では外径が約１．５ミリメートルとする）を有し、剛性を有する硬質合成樹脂材からなる棒状の杆体１４（本実施例では外径が約１．０ミリメートルとする）と、この杆体１４を嵌挿する筒状の可撓性を有する管体１５（本実施例では内径が約１．０ミリメートルとする）とから構成されている。
【００２０】
そして、図６に示すように、杆体１４に道糸２を沿わせた状態で、道糸４を通している松葉４の輪７（本実施例では内径が約１．４ミリメートルとする）を杆体１４に通す。そして、同じく道糸２に通している管体１５を杆体１４方向にずらして行き、図7に示すように、管体１５を杆体１４に挿入して、松葉４の輪７が自在に回転しやすい幅を残して止める。これにより、松葉４の輪７は、段部１３と管体１５とに挟まれた杆体１４部分に回転自在に配置される。
【００２１】
このように、松葉４を道糸２に対して位置設定する手段が、杆体１４と可撓性を有する管体１５との柔軟な嵌挿状態に道糸２を通していることから、棚あわせのために頻繁に松葉位置設定具１１を位置変更しても道糸２を傷つけるおそれがない。
また、道糸２に対して松葉４が回転する際にも、剛性を有する円柱状の杆体１４に対し、松葉４の真円に近似する円環状の輪７をスムーズに回転させることができるものである。
【００２２】
図８は、本考案の第３の実施例を示し、この松葉位置設定具１６は、上述した松葉位置設定具１１の形状をそのまま小型化したものであり、２個一組で用いる。すなわち、道糸２を通す環部１７を備えた短い段部１８を有し、剛性を有する硬質合成樹脂材からなる棒状の杆体１９と、この杆体１９を嵌挿する筒状の可撓性を有する管体２０とから構成されている。
そして、２個の松葉位置設定具１６の間に、松葉４を挟み込むように位置させた上で、杆体１９に道糸２を沿わせた状態で、管体２０を杆体１９に挿入して松葉位置設定具１６を固定するものである。
【産業上の利用可能性】
【００２３】
この考案に係るへら鮒釣り用仕掛けは、釣り用品業において利用することができる。
【符号の説明】
【００２４】
２：道糸    ３：ウキ    ４：松葉    ５：ウキ止めゴム管    ６：結びコブ    ７：輪    ８：止め輪    １１：松葉位置設定具    １２：環部    １３：段部    １４：杆体    １５：管体
【図１】
0003191445.tif 000003
【図２】
0003191445.tif 000004
【図３】
0003191445.tif 000005
【図４】
0003191445.tif 000006
【図５】
0003191445.tif 000007
【図６】
0003191445.tif 000008
【図７】
0003191445.tif 000009
【図８】
0003191445.tif 000010
【図９】
0003191445.tif 000011
【図１０】
0003191445.tif 000012
【図１１】
0003191445.tif 000013